(57)【要約】【課題】障子の開閉操作性を確保すること。【解決手段】ベースリンク３１の長手方向に沿って摺動可能に配設したスライダ３３と、スライダ３３をベースリンク３１の一端部から従動リンク３２の支持点に向けて摺動させた場合にベースリンク３１のリンクガイド３１ｅに当接することよってスライダ３３に対する姿勢が変更される駆動リンク３５とを備え、リンクガイド３１ｅはスライダ３３がベースリンク３１の一端部に配置された場合に駆動リンク３５を介して開閉リンク３９を収納位置に配置させる一方、スライダ３３が従動リンク３２の支持点に向けて移動した場合に駆動リンク３５を介して開閉リンク３９を押出位置に維持させるように構成した窓用ステー３０において、駆動リンク３５にはリンクガイド３１ｅに対向する当接面の幅を増大させる当接ガイド５０を設けた。【選択図】図１
2014080733.tif 000002
【特許請求の範囲】
【請求項１】
リンクガイドを有したベースリンクと、
一端部を介して前記ベースリンクに揺動可能に支持させた従動リンクと、
前記ベースリンクの長手方向に沿って摺動可能に配設したスライダと、
一端部を介して前記スライダに揺動可能に支持させてあり、前記スライダを前記ベースリンクの一端部から前記従動リンクの支持点に向けて摺動させた場合に前記リンクガイドに当接することよって前記スライダに対する姿勢が変更される駆動リンクと、
前記駆動リンクの他端部と前記従動リンクの他端部との間を接続することによってこれらベースリンク、従動リンク及び駆動リンクとともに四節リンクを構成し、前記ベースリンクの長手方向に沿って配置される収納位置と、前記ベースリンクに対し交差する方向に沿って配置される押出位置とに変位可能に配設した開閉リンクと
を備え、前記リンクガイドは前記スライダが前記ベースリンクの一端部に配置された場合に前記駆動リンクを介して前記開閉リンクを前記収納位置に配置させる一方、前記スライダが前記従動リンクの支持点に向けて移動した場合に前記駆動リンクを介して前記開閉リンクを前記押出位置に維持させるように構成した窓用ステーにおいて、
前記駆動リンク及び前記リンクガイドの少なくとも一方には他方に対向する当接面の幅を増大させる当接ガイドを設けたことを特徴とする窓用ステー。
【請求項２】
前記ベースリンクは、基板部の一側縁部を略コの字状に成形することによって前記基板部に対して対向配置されるガイド板部を構成し、このガイド板部の端縁部に前記リンクガイドを構成したものであり、
前記当接ガイドは、前記駆動リンクにおいて前記リンクガイドに対向する部位に配設し、前記リンクガイドよりも幅の大きな厚肉状の部材であることを特徴とする請求項１に記載の窓用ステー。
【請求項３】
前記当接ガイドは第１従動面及び第２従動面を有し、前記第１従動面を介して前記リンクガイドに当接するものであり、
前記ベースリンクには、前記スライダを一端部側に摺動させた場合に前記当接ガイドの第２従動面に当接し、前記駆動リンクを介して前記開閉リンクを前記収納位置に移動させる収納ガイドを設けたことを特徴とする請求項２に記載の窓用ステー。
【請求項４】
前記ベースリンクには、前記基板部の一側縁部において前記基板部と前記ガイド板部との間を連結する立板部の特定箇所に挿入孔を形成し、
前記スライダには、前記ガイド板部と前記基板部との間を通過する状態で前記ベースリンクの長手方向に対して直交する方向に沿って移動可能に配設し、前記挿入孔に挿通させた場合に前記ベースリンクに対する前記スライダの移動を規制するストッパ片を設けたことを特徴とする請求項２に記載の窓用ステー。
【請求項５】
請求項１〜請求項４のいずれか一つに記載した窓用ステーを適用して、前記ベースリンクを開口枠の見込み面に取り付けるとともに、前記開閉リンクを障子の見込み面に取り付けて構成し、前記開閉リンクを前記収納位置に配置させた場合に前記開口枠に対して前記障子を閉じた状態に維持する一方、前記開閉リンクを前記押出位置に配置した場合に前記開口枠に対して前記障子を開いた状態に維持するように構成したことを特徴とする辷り出し窓。
【発明の詳細な説明】
【技術分野】
【０００１】
本発明は、窓用ステー及びこれを適用した辷り出し窓に関するものである。
【背景技術】
【０００２】
辷り出し窓に適用される窓用ステーには、開口枠に取り付けられるベースリンクと、障子に取り付けられる開閉リンクとの間に、従動リンク及び駆動リンクを介在させて四節リンクを構成するようにしたものが提供されている。ベースリンクと駆動リンクの一端部との間にはベースリンクの長手方向に沿って摺動するスライダが介在されている。
【０００３】
この窓用ステーでは、スライダがベースリンクと従動リンクとの連結部からもっとも離隔した上限位置に配置された場合、駆動リンクがベースリンクに沿った平行姿勢に配置され、従動リンク及び開閉リンクがそれぞれベースリンクに沿って配置された状態となり、開口枠に対して障子が閉じた状態に維持される。
【０００４】
この状態から開口枠に対して障子の戸先框を開くように移動させると、スライダがベースリンクに沿ってベースリンクと従動リンクとの連結部に近接するように摺動し、駆動リンクがベースリンクに設けたリンクガイドに当接することにより駆動リンクが揺動して他端部がベースリンクから突出した傾斜姿勢となり、その後、駆動リンクの端面がリンクガイドに当接して傾斜姿勢が維持される。このため、辷り出し窓の障子は、戸尻框が開口枠から離隔され、その後、この状態を維持したまま戸尻框が開口枠に沿って戸先枠に近接するように摺動して開くことになる。
【０００５】
一方、障子を閉じる場合にも、障子の戸尻框が開口枠から離隔した状態で開口枠に沿って戸尻枠に近接するように摺動する。その後、スライダが上限位置に戻る以前にベースリンクに設けた収納ガイドに当接することによって駆動リンクがベースリンクに沿うように揺動し、開口枠に対して障子が閉じられる。
【０００６】
上記のような窓用ステーを適用した辷り出し窓によれば、障子の戸尻枠が開口枠に沿って摺動する際に障子との間に介在させたタイト材が擦れることなく、その損傷を来す恐れもないため、気密性及び水密性を長期に渡って確保することができるようになる。
【０００７】
ところで、開いた状態の障子を閉じる方向に操作すると、窓用ステーには開閉リンクと駆動リンクとの連結部がベースリンクと従動リンクとの連結部から離隔するように力が加えられる。この力は、スライダを上限位置に復帰させるように作用するとともに、駆動リンクを平行姿勢に向けて揺動するように作用するものである。従って、ベースリンクに対してスライダが直ちに上限位置に向けて滑らかに摺動すれば問題とはならないが、スライダの摺動が滑らかでない等、スライダの摺動状態によっては駆動リンクを平行姿勢に向けて揺動させるように力が作用する。上述したように、障子が開いた状態では、駆動リンクの端面がリンクガイドに当接して傾斜姿勢が維持されているが、平行姿勢に向けて揺動させるように大きな力が加えられた場合、駆動リンクがリンクガイドを乗り越えて揺動し、窓用ステーとしての機能を損なう恐れがある。
【０００８】
このため従来では、ベースリンクに長手方向に沿ってリブ状のガイドレール部を設けるとともに、スライダにはガイドレール部に嵌合する溝を有したガイドピンを突設し、駆動リンクが傾斜姿勢に配置された場合にガイドピンの溝にベースリンクのガイドレール部を嵌合させるようにしている。こうした窓用ステーによれば、駆動リンクが傾斜姿勢に配置された場合、つまり開口枠に対して障子が開いた状態の場合、ガイドピンとガイドレール部とによって駆動リンクの揺動が規制されることになる。従って、開いた状態の障子を閉じる方向に操作した場合に、駆動リンクがリンクガイドを乗り越えて揺動する事態を招来する恐れがなくなる（例えば、特許文献１参照）。
【先行技術文献】
【特許文献】
【０００９】
【特許文献１】特許第４７７５８５７号公報
【発明の概要】
【発明が解決しようとする課題】
【００１０】
特許文献１に記載の窓用ステーでは、駆動リンクの揺動により、ガイドピンの溝にガイドレール部が嵌合した状態と逸脱した状態とに切り換えなければならないため、ベースリンクの全長に渡ってガイドレール部を設けることができず、ガイドピンを受け入れるための挿入端部を設けなければならない。しかも、ガイドピンとしては、駆動リンクが揺動することによって溝の内部にガイドレール部を嵌合させなければならないものであるため、溝の長さを大きく確保することが困難であり、ガイドレール部に対して局所的に接触せざるを得ない。このため、例えば、ガイドレール部の挿入端部近傍にガイドピンが嵌合している状態にあっては、障子を閉じる方向に操作した際の力がガイドレール部の開放端部に局所的に加えられることによって容易に変形を来し、障子の開閉操作性が損なわれる事態を招来する恐れがある。
【００１１】
本発明は、上記実情に鑑みて、障子の開閉操作性を確保することのできる窓用ステー及び辷り出し窓を提供することを目的とする。
【課題を解決するための手段】
【００１２】
上記の目的を達成するため、本発明に係る窓用ステーは、リンクガイドを有したベースリンクと、一端部を介して前記ベースリンクに揺動可能に支持させた従動リンクと、前記ベースリンクの長手方向に沿って摺動可能に配設したスライダと、一端部を介して前記スライダに揺動可能に支持させてあり、前記スライダを前記ベースリンクの一端部から前記従動リンクの支持点に向けて摺動させた場合に前記リンクガイドに当接することよって前記スライダに対する姿勢が変更される駆動リンクと、前記駆動リンクの他端部と前記従動リンクの他端部との間を接続することによってこれらベースリンク、従動リンク及び駆動リンクとともに四節リンクを構成し、前記ベースリンクの長手方向に沿って配置される収納位置と、前記ベースリンクに対し交差する方向に沿って配置される押出位置とに変位可能に配設した開閉リンクとを備え、前記リンクガイドは前記スライダが前記ベースリンクの一端部に配置された場合に前記駆動リンクを介して前記開閉リンクを前記収納位置に配置させる一方、前記スライダが前記従動リンクの支持点に向けて移動した場合に前記駆動リンクを介して前記開閉リンクを前記押出位置に維持させるように構成した窓用ステーにおいて、前記駆動リンク及び前記リンクガイドの少なくとも一方には他方に対向する当接面の幅を増大させる当接ガイドを設けたことを特徴とする。
【００１３】
この発明によれば、駆動リンクとリンクガイドとの間に当接ガイドを設けることにより、別途ガイドピンを設けてガイドレール部に嵌合させることなく、駆動リンクがリンクガイドを乗り越えて揺動する事態を防止することができる。
【００１４】
また、本発明は、上述した窓用ステーにおいて、前記ベースリンクは、基板部の一側縁部を略コの字状に成形することによって前記基板部に対して対向配置されるガイド板部を構成し、このガイド板部の端縁部に前記リンクガイドを構成したものであり、前記当接ガイドは、前記駆動リンクにおいて前記リンクガイドに対向する部位に配設し、前記リンクガイドよりも幅の大きな厚肉状の部材であることを特徴とする。
【００１５】
この発明によれば、リンクガイドに対して摺動する駆動リンクに当接ガイドを設けているため、当接ガイドが長大化する事態を招来しない。
【００１６】
また、本発明は、上述した窓用ステーにおいて、前記当接ガイドは第１従動面及び第２従動面を有し、前記第１従動面を介して前記リンクガイドに当接するものであり、前記ベースリンクには、前記スライダを一端部側に摺動させた場合に前記当接ガイドの第２従動面に当接し、前記駆動リンクを介して前記開閉リンクを前記収納位置に移動させる収納ガイドを設けたことを特徴とする。
【００１７】
この発明によれば、スライダが一端部側に摺動すれば、収納ガイドによって駆動リンクが揺動し、開閉リンクが収納位置に案内される。
【００１８】
また、本発明は、上述した窓用ステーにおいて、前記ベースリンクには、前記基板部の一側縁部において前記基板部と前記ガイド板部との間を連結する立板部の特定箇所に挿入孔を形成し、前記スライダには、前記ガイド板部と前記基板部との間を通過する状態で前記ベースリンクの長手方向に対して直交する方向に沿って移動可能に配設し、前記挿入孔に挿通させた場合に前記ベースリンクに対する前記スライダの移動を規制するストッパ片を設けたことを特徴とする。
【００１９】
この発明によれば、ストッパ片を挿入孔に挿通させ、ベースリンクに対するスライダの移動を規制することで、開口枠に対して障子を所定の開き角度に維持することが可能となる。
【００２０】
また、上記の目的を達成するため、本発明に係る辷り出し窓は、上述した窓用ステーのいずれか一つを適用して、前記ベースリンクを開口枠の見込み面に取り付けるとともに、前記開閉リンクを障子の見込み面に取り付けて構成し、前記開閉リンクを前記収納位置に配置させた場合に前記開口枠に対して前記障子を閉じた状態に維持する一方、前記開閉リンクを前記押出位置に配置した場合に前記開口枠に対して前記障子を開いた状態に維持するように構成したことを特徴とする。
【００２１】
この発明によれば、駆動リンクとリンクガイドとの間に当接ガイドを設けることにより、別途ガイドピンを設けてガイドレール部に嵌合させることなく、駆動リンクがリンクガイドを乗り越えて揺動する事態を防止することができる。
【発明の効果】
【００２２】
本発明によれば、駆動リンクとリンクガイドとの間に当接ガイドを設けることにより、別途ガイドピンを設けてガイドレール部に嵌合させることなく、駆動リンクがリンクガイドを乗り越えて揺動する事態を防止することができるため、局所的に力が集中することで変形を来す恐れもなく、障子に良好な開閉操作性を確保することができる。
【図面の簡単な説明】
【００２３】
【図１】図１は、本発明の実施の形態である窓用ステーを示す斜視図である。
【図２】図２は、図１に示した窓用ステーを適用した辷り出し窓が閉じた状態の縦断面図である。
【図３】図３は、図１に示した窓用ステーを適用した辷り出し窓が開き始めた状態の縦断面図である。
【図４】図４は、図１に示した窓用ステーを適用した辷り出し窓がさらに開いた状態の縦断面図である。
【図５】図５は、図１に示した窓用ステーを適用した辷り出し窓が水平まで開いた状態の縦断面図である。
【図６】図６は、図１に示した窓用ステーの要部を示す断面斜視図である。
【図７】図７は、図１に示した窓用ステーの要部を示す断面斜視図である。
【図８】図８は、図１におけるＡ−Ａ線断面図である。
【図９】図９は、図１におけるＢ−Ｂ線断面図である。
【図１０】図１０は、図１におけるＣ−Ｃ線断面図である。
【図１１】図１１は、図１に示した窓用ステーの要部を拡大した図である。
【発明を実施するための形態】
【００２４】
以下、添付図面を参照しながら本発明に係る窓用ステー及び辷り出し窓の好適な実施の形態について詳細に説明する。
【００２５】
図１は、本発明の実施の形態である窓用ステーを示したものである。ここで例示する窓用ステー３０は、図２〜図５に示すように、障子１０の下框１１が戸先で上框１２が戸尻となり、左右方向に沿った軸を中心に障子１０の下框１１が開口枠２０に対して室外側に押し出されるように開閉する横辷り出し窓に適用するもので、ベースリンク３１を備えている。ベースリンク３１は、縦枠２１の見込み面に長手方向に沿って取り付けられる金属製の長尺部材であり、基板部３１ａ、立板部３１ｂ、ガイド板部３１ｃを有している。
【００２６】
基板部３１ａは、ネジ孔３１ｄを有した長尺の薄板状を成し、ネジ孔３１ｄを介して開口枠２０の縦枠２１に取付ネジ（図示せず）を締結することにより、縦枠２１の見込み面に取り付けられるものである。
【００２７】
立板部３１ｂは、図６〜図１０に示すように、基板部３１ａの一方の側縁部から略直角に屈曲することにより基板部３１ａの面外方向に突出した部分であり、基板部３１ａのほぼ全長に渡って設けてある。基板部３１ａからの立板部３１ｂの突出寸法は、基板部３１ａの幅の１／３程度に設定してある。
【００２８】
ガイド板部３１ｃは、立板部３１ｂの突出端部から略直角に屈曲することにより基板部３１ａに対向するように配置された部分であり、端縁部にリンクガイド３１ｅを構成している。ガイド板部３１ｃの幅は、基板部３１ａの幅の１／３程度であり、立板部３１ｂの突出寸法よりはわずかに大きくなるように設定してある。図１及び図５に示すように、ガイド板部３１ｃの上端部は、上方に向かうに従って立板部３１ｂからの幅が漸次小さくなるように傾斜状に構成してあり、ベースリンク３１の上端よりも下方となる位置で終端となっている。
【００２９】
リンクガイド３１ｅは、図６〜図１０に示すように、ベースリンク３１の長手方向に沿って延在する直線状の摺動ガイド部３１ｅ１と、ガイド板部３１ｃの上端に形成した傾斜に沿って延在する揺動ガイド部３１ｅ２とを有している。摺動ガイド部３１ｅ１は、ガイド板部３１ｃの端縁部を基板部３１ａに向けて屈曲させることにより、ガイド板部３１ｃの板厚よりも大きな寸法のガイド面を有するように構成してある。摺動ガイド部３１ｅ１として設定したガイド板部３１ｃの屈曲寸法は、立板部３１ｂの１／３程度であり、基板部３１ａとの間には間隙が確保してある。
【００３０】
基板部３１ａのもう一方の側縁部には、ガイドレール部３１ｆが設けてある。ガイドレール部３１ｆは、立板部３１ｂと同様、基板部３１ａから略直角に屈曲することにより、基板部３１ａの面外方向に突出した部分であり、基板部３１ａのほぼ全長に渡る部位に形成してある。基板部３１ａからのガイドレール部３１ｆの突出寸法は、摺動ガイド部３１ｅ１として設定したガイド板部３１ｃの屈曲寸法とほぼ同じに設定してある。
【００３１】
このベースリンク３１には、図１〜図５に示すように、下端部に従動リンク３２が支持させてあるとともに、図６〜図１０に示すように、従動リンク３２の支持点よりも上方側となる部位に合成樹脂材から成るスライダ３３が配設してある。
【００３２】
従動リンク３２は、ベースリンク３１よりも短い長さに形成した金属製の薄板状部材である。この従動リンク３２は、基板部３１ａに直交する従動リンク軸３４により一端部を介してベースリンク３１に揺動可能に支持させてあり、図２に示すように、他端部が上方に向いた状態でベースリンク３１に沿って重なるように配置される重合姿勢と、図３〜図５に示すように、上方に向かうに従って他端部が漸次摺動ガイド部３１ｅ１から離隔するように室外側に傾斜して突出される突出姿勢との間を移動することが可能である。
【００３３】
スライダ３３は、図６〜図１０に示すように、薄肉部３３ａと厚肉部３３ｂとを一体に成形したブロック状部材であり、ベースリンク３１の基板部３１ａとガイド板部３１ｃとの間に薄肉部３３ａを介在させ、かつ基板部３１ａにおいて摺動ガイド部３１ｅ１とガイドレール部３１ｆとの間に厚肉部３３ｂを配置した状態でベースリンク３１の長手方向に沿って摺動可能に配設してある。図６及び図７に示すように、このスライダ３３は、室外側に位置する側面にベースリンク３１のガイドレール部３１ｆが当接した状態にあり、かつスライダ３３の薄肉部３３ａと厚肉部３３ｂとの間に形成したガイド溝３３ｃに摺動ガイド部３１ｅ１が嵌合した状態にあり、ベースリンク３１に対してもっとも上方となる上限位置から従動リンク軸３４に近接した下限位置までの間を摺動する際に見込み方向に沿った位置がずれることはない。図２〜図５に示すように、スライダ３３には、駆動リンク３５及びストッパ片３６が設けてある。
【００３４】
駆動リンク３５は、従動リンク軸３４と平行となる駆動リンク軸３７により一端部を介してスライダ３３の上端部に揺動可能に支持させてあり、図２に示すように、他端部が上方に向いた状態でベースリンク３１に沿って配置される平行姿勢と、図３〜図５に示すように、上方に向かうに従って他端部が漸次摺動ガイド部３１ｅ１から離隔するように室外側に傾斜して配置される傾斜姿勢との間を移動することが可能である。
【００３５】
図からも明らかなように、駆動リンク３５は、従動リンク３２よりも短い長さ、具体的には１／３程度の長さに形成してあり、その他端部に第１開閉リンク軸３８を介して開閉リンク３９の一端部を支持している。開閉リンク３９は、従動リンク３２とほぼ同じ長さに形成した金属製の薄板状部材であり、第２開閉リンク軸４０を介して中間部を従動リンク３２の他端部に支持させることにより、ベースリンク３１、従動リンク３２及び駆動リンク３５とともに四節リンクを構成している。本実施の形態では、開閉リンク３９において第１開閉リンク軸３８から全長のほぼ２／３の位置に第２開閉リンク軸４０が設けてある。
【００３６】
この開閉リンク３９は、図２に示すように、駆動リンク３５が平行姿勢に配置され、かつ従動リンク３２が重合姿勢に配置された場合、ベースリンク３１との間に駆動リンク３５及び従動リンク３２を収容した状態でこれらベースリンク３１、駆動リンク３５及び従動リンク３２に対して互いに重なるように配置される。一方、図３及び図４に示すように、駆動リンク３５が押出姿勢に配置され、かつ従動リンク３２が突出姿勢に配置された場合、開閉リンク３９は他端部のみがベースリンク３１から漸次離隔することにより、ベースリンク３１に対して交差する方向に沿って配置された状態となる。ベースリンク３１に対する開閉リンク３９の交差角度は、スライダ３３が下限位置に近接するに従って次第に大きくなり、スライダ３３を下限位置に配置した場合、図５に示すように、ベースリンク３１に対してほぼ直角の状態、つまり開閉リンク３９がほぼ水平の状態となる。
【００３７】
図２〜図５からも明らかなように、駆動リンク３５は、駆動リンク軸３７と第１開閉リンク軸３８との間において室内側に位置する縁部が室内側に向けて突出しており、この突出部分に当接ガイド５０を備えている。当接ガイド５０は、図１、図６、図８に示すように、駆動リンク３５の突出部分を覆うように駆動リンク３５に取り付けられたもので、ベースリンク３１の摺動ガイド部３１ｅ１として設定したガイド板部３１ｃの屈曲寸法よりも大きな板厚を有するように合成樹脂材によって構成してある。当接ガイド５０においてスライダ３３よりも上方に位置する部分は、ベースリンク３１の基板部３１ａに当接した状態にあり、基板部３１ａに摺接することによって駆動リンク３５が揺動する際のガイドとして機能する。
【００３８】
この当接ガイド５０は、室内側に位置する部分がリンクガイド３１ｅに当接する第１従動面５０ａを構成し、かつ室外側に位置する部分がベースリンク３１に設けた収納ガイド３１ｇに当接する第２従動面５０ｂを構成している。
【００３９】
第１従動面５０ａは、駆動リンク３５が傾斜姿勢に配置された場合にリンクガイド３１ｅの摺動ガイド部３１ｅ１に沿って延在し、スライダ３３が下方に移動した場合に摺動ガイド部３１ｅ１に当接することにより駆動リンク３５が傾斜姿勢を維持するように機能する。スライダ３３が上限位置に配置された場合には、駆動リンク３５が室内側に揺動して第１従動面５０ａが揺動ガイド部３１ｅ２に当接することにより、駆動リンク３５が平行姿勢に配置された状態となる。さらに、駆動リンク３５が平行姿勢にある状態からスライダ３３が下方に移動した場合には、第１従動面５０ａがベースリンク３１の揺動ガイド部３１ｅ２に当接することによって駆動リンク３５が揺動し、傾斜姿勢に配置されることになる。
【００４０】
第２従動面５０ｂが当接する収納ガイド３１ｇは、図１１に示すように、トリガ凸部３１ｇ１と偏向板部３１ｇ２とを有して構成してある。トリガ凸部３１ｇ１は、ガイドレール部３１ｆの上端部から室内側に向けて突出した部分である。このトリガ凸部３１ｇ１は、第１従動面５０ａがリンクガイド３１ｅの摺動ガイド部３１ｅ１を超えてスライダ３３が上方に位置した場合に第２従動面５０ｂと当接し、駆動リンク３５を室内側に向けて揺動させる位置に設けてある。偏向板部３１ｇ２は、基板部３１ａから突出した平板部分であり、その下面が室内側に向けて漸次上方に傾斜している。この偏向板部３１ｇ２は、トリガ凸部３１ｇ１によって駆動リンク３５の上端部が室内側に揺動した状態でスライダ３３がさらに上方に摺動した場合に第２従動面５０ｂと当接し、駆動リンク３５をさらに室内側に向けて揺動させる位置に設けてある。当接ガイド５０の第２従動面５０ｂが偏向板部３１ｇ２に当接した状態でスライダ３３が上限位置に配置された場合には、駆動リンク３５が平行姿勢となる。
【００４１】
ストッパ片３６は、図２〜図５及び図１０に示すように、基端部が屈曲した平板状を成すもので、ベースリンク３１の基板部３１ａに対して平行となる状態でスライダ３３に対して見込み方向に移動可能に配設してあり、先端部がベースリンク３１の立板部３１ｂに当接することが可能である。ストッパ片３６とスライダ３３の間には、ストッパ片３６の先端部を常時立板部３１ｂに向けて付勢するストッパバネ４１が介在させてある。本実施の形態では、ストッパバネ４１としてねじりコイルバネを適用している。ストッパ片３６の屈曲した基端部は、常時スライダ３３の室外側に位置する部分から外部に突出した状態にあり、ストッパ片３６を操作する際の操作部として機能する。
【００４２】
ストッパ片３６の先端部には、ピン嵌入溝３６ａ及び係合片部３６ｂが形成してある。ピン嵌入溝３６ａは、ストッパ片３６の先端部を上下に二分するように水平に形成した切欠である。係合片部３６ｂは、ストッパ片３６の先端部においてピン嵌入溝３６ａよりも上方となる部分に構成される狭幅部分である。係合片部３６ｂの先端部には、先端に向けて漸次下方に傾斜する上方傾斜ガイド面３６ｃが形成してあるとともに、ほぼ水平方向に沿ったストッパ面３６ｄが形成してあり、ベースリンク３１の立板部３１ｂに形成した挿入孔３１ｈに挿通することが可能である。
【００４３】
立板部３１ｂの挿入孔３１ｈは、図１に示すように、上下方向の寸法が係合片部３６ｂの幅よりも大きく形成した矩形状の開口である。ストッパ片３６の係合片部３６ｂが立板部３１ｂの挿入孔３１ｈに挿通された場合には、ほぼ水平方向に沿ったストッパ面３６ｄが挿入孔３１ｈの開口下縁に当接することにより、ベースリンク３１の下方への移動が規制された状態となる。ストッパ片３６の係合片部３６ｂが立板部３１ｂの挿入孔３１ｈに挿通された状態であっても、ベースリンク３１に対してスライダ３３を上方に移動させれば、上方傾斜ガイド面３６ｃが挿入孔３１ｈの開口上縁に当接することにより、ストッパバネ４１の付勢力に抗してストッパ片３６が室外側に移動され、スライダ３３の上限位置への移動が可能になる。
【００４４】
本実施の形態では、図４に示すように、ベースリンク３１に対する開閉リンク３９の交差角度がほぼ３０°となった場合と、図５に示すように、スライダ３３が下限位置に配置されて開閉リンク３９がほぼ水平の状態となった場合に、それぞれストッパ片３６の係合片部３６ｂが挿通されるようにベースリンク３１の立板部３１ｂに挿入孔３１ｈが設けてある。
【００４５】
尚、スライダ３３が下限位置に配置されてストッパ片３６の係合片部３６ｂが立板部３１ｂの挿入孔３１ｈに挿通された場合には、ストッパ片３６のピン嵌入溝３６ａがベースリンク３１の基板部３１ａとガイド板部３１ｃとの間を連結するように設けたストッパピン４２に嵌入された状態となる。この状態においては、スライダ３３を上方に向けて移動させた場合にも、ストッパピン４２がピン嵌入溝３６ａの下縁に当接することになり、上方傾斜ガイド面３６ｃと挿入孔３１ｈの開口上縁とが当接する状態に至らないため、スライダ３３を上限位置へ向けて移動させることができない。但し、基端部を操作してストッパ片３６を室外側に移動させれば、スライダ３３を上限位置に向けて移動させることは可能である。
【００４６】
上記のように構成した窓用ステー３０は、図２〜図５に示すように、横辷り出し窓に対して、基板部３１ａを介してベースリンク３１を開口枠２０の縦枠２１に取り付け、かつ開閉リンク３９を障子１０の縦框１３に取り付けることにより、左右方向に沿った軸を中心に障子１０の下框１１が開口枠２０に対して室外側に押し出されるように、開口枠２０に対して障子１０を開閉可能に支持する。
【００４７】
すなわち、図２に示すように、駆動リンク３５が平行姿勢に配置され、かつ従動リンク３２が重合姿勢に配置された状態では、開口枠２０の縦枠２１に対して障子１０の縦框１３が対向し、障子１０が閉じた状態に維持される。このとき、スライダ３３は、上限位置に配置された状態にある。また、開口枠２０において障子１０に対向する部位に設けたタイト材２５は、これら開口枠２０と障子１０との間に圧接された状態にあり、所望の気密性及び水密性を確保している。
【００４８】
この状態から障子１０の下框１１を室外側に移動させると、図３に示すように、スライダ３３が下限位置に向けて摺動し、当接ガイド５０の第１従動面５０ａがリンクガイド３１ｅの揺動ガイド部３１ｅ２に当接することにより駆動リンク３５が揺動して他端部がベースリンク３１から突出した傾斜姿勢となり、その後、当接ガイド５０の第１従動面５０ａがリンクガイド３１ｅに当接して傾斜姿勢が維持される。このため、辷り出し窓の障子１０は、下框１１が開口枠２０から離隔され、その後、この状態を維持したまま下框１１が開口枠２０に沿って下枠２２に近接するように摺動して開くことになる。
【００４９】
障子１０の開き角度が大きくなり、スライダ３３が下方に移動して図４に示す状態となると、ストッパバネ４１の付勢力によってストッパ片３６が室内側に移動し、係合片部３６ｂがベースリンク３１の挿入孔３１ｈに挿通することでスライダ３３の移動が規制され、障子１０がほぼ３０°開いた状態で停止する。
【００５０】
一方、図４に示す状態から、障子１０の下框１１を室内側に移動させると、上方傾斜ガイド面３６ｃが挿入孔３１ｈの開口上縁に当接することにより、ストッパバネ４１の付勢力に抗してストッパ片３６が室外側に移動され、ベースリンク３１に対してスライダ３３が上限位置に向けて移動する。スライダ３３の移動によって当接ガイド５０の第２従動面５０ｂがトリガ凸部３１ｇ１及び偏向板部３１ｇ２に順次当接することにより、駆動リンク３５が平行姿勢となって障子１０が開口枠２０に対して閉じた位置となる。
【００５１】
また、図４に示す状態から、操作部を介してストッパ片３６を室外側に移動させれば、ベースリンク３１に対してスライダ３３を下方に移動させ、障子１０を図５に示す状態に配置することができる。
【００５２】
これら障子１０の開閉動作の間、障子１０の下框１１が開口枠２０から離隔した状態となるため、開口枠２０に設けたタイト材２５が障子１０の框１１，１２，１３と擦れることがない。これにより、障子１０の開閉動作によってはタイト材２５に損傷を来す恐れがなく、横辷り出し窓の気密性及び水密性を長期に渡って確保することができるようになる。
【００５３】
さらに、ベースリンク３１の摺動ガイド部３１ｅ１として設定したガイド板部３１ｃの屈曲寸法よりも大きな板厚を有する当接ガイド５０を駆動リンク３５に設け、この当接ガイド５０を摺動ガイド部３１ｅ１に当接させるようにしている。このため、別途ガイドピンを設けてガイドレール部３１ｆに嵌合させなくとも、駆動リンク３５が傾斜姿勢から平行姿勢に揺動する際に駆動リンク３５がリンクガイド３１ｅの摺動ガイド部３１ｅ１を乗り越えることがなく、障子１０の開閉操作性が損なわれる恐れがなくなる。
【００５４】
しかも、リンクガイド３１ｅに対して摺動する駆動リンク３５に当接ガイド５０を設けているため、当接ガイド５０として長大化したものを適用する必要がなく、製造コストを低減する上で有利となる。また、当接ガイド５０として合成樹脂材によって成形したものを適用しているため、障子１０を開閉操作する際に金属同士が当接して騒音を発生することもない。
【００５５】
尚、上述した実施の形態では、横辷り出し窓を例示しているが、実施の形態と同様の構成の窓用ステーを適用して縦辷り出し窓を構成することも可能である。
【００５６】
また、上述した実施の形態では、駆動リンク３５に当接ガイド５０を設けているが、リンクガイド３１ｅを構成するベースリンク３１のガイド板部３１ｃに当接ガイドを設けて窓用ステーを構成することも可能である。
【符号の説明】
【００５７】
１０      障子
２０      開口枠
３０      窓用ステー
３１      ベースリンク
３１ａ      基板部
３１ｂ      立板部
３１ｃ      ガイド板部
３１ｅ      リンクガイド
３１ｇ      収納ガイド
３１ｈ      挿入孔
３２      従動リンク
３３      スライダ
３５      駆動リンク
３６      ストッパ片
３９      開閉リンク
５０      当接ガイド
５０ａ    第１従動面
５０ｂ    第２従動面
【図１】
2014080733.tif 000003
【図２】
2014080733.tif 000004
【図３】
2014080733.tif 000005
【図４】
2014080733.tif 000006
【図５】
2014080733.tif 000007
【図６】
2014080733.tif 000008
【図７】
2014080733.tif 000009
【図８】
2014080733.tif 000010
【図９】
2014080733.tif 000011
【図１０】
2014080733.tif 000012
【図１１】
2014080733.tif 000013